(57)【要約】【課題】位置決めした電線の外周に容易に結束部材を巻き付けることを可能とする電線位置決め治具と該電線位置決め治具を備えた布線板を提供する。【解決手段】布線板１６は板本体１６ａと分岐用結き具１を備えている。分岐用結き具１は設置台７と複数の位置決め部８を備えている。設置台７は板本体１６ａから立設した支柱９と該支柱９に取り付けられた設置板１０を備えている。位置決め部８は支柱１１と連結棒１２と一対の位置決め棒１３を備えている。支柱１１は設置板１０の隅部１０ｃから立設している。連結棒１２は支柱１１の上端に連なりその長手方向が設置板１０の外縁部１０ｂに交差している。一対の位置決め棒１３は互いに間隔をあけて平行に配置されている。一対の位置決め棒１３の下端部には連結棒１２の両端部が連なっている。一対の位置決め棒１３が並設する方向Ｋは互いに直交している。位置決め棒１３間に電線４を通す。【選択図】図２
2007026988.tif 000002
【特許請求の範囲】
【請求項１】
複数の電線を布線してワイヤハーネスを形成する際に、該ワイヤハーネスの互いに交差する電線を位置決めする電線位置決め治具において、
互いに間隔をあけて平行な一対の位置決め棒を有した位置決め部を複数備え、
互いに隣り合う位置決め部の一対の位置決め棒が並設する方向が、互いに交差しているとともに、互いに隣り合う位置決め部の位置決め棒が、互いに間隔をあけて配置されたことを特徴とする電線位置決め治具。
【請求項２】
前記複数の位置決め部のうち少なくとも一つの位置決め部は、一対の位置決め棒の下端部同士を連結する連結棒を備えたことを特徴とする請求項１記載の電線位置決め治具。
【請求項３】
複数の電線を布線する布線板の板本体に設置されるとともに、上面に前記複数の位置決め部が設置された設置台を備えたことを特徴とする請求項２記載の電線位置決め治具。
【請求項４】
前記複数の位置決め部が設置台の上面の外縁部に設置されていることを特徴とする請求項３記載の電線位置決め治具。
【請求項５】
前記複数の位置決め部が設置台の上面の外縁部の隅部に設置されていることを特徴とする請求項４記載の電線位置決め治具。
【請求項６】
前記複数の位置決め部の一対の位置決め棒が互いに並設する方向と、前記設置台の外縁部とが互いに交差していることを特徴とする請求項５記載の電線位置決め治具。
【請求項７】
表面上に複数の電線を布線してワイヤハーネスを形成する板本体と、
請求項１ないし請求項６のうちいずれか一項に記載の電線位置決め治具と、を備え、
前記電線位置決め治具が、前記板本体上に設置されて、該板本体上に布線させる電線を位置決めすることを特徴とする布線板。
【発明の詳細な説明】
【技術分野】
【０００１】
本発明は、電線を布線してワイヤハーネスを組み立てる際に該電線を位置決めする電線位置決め治具と、該電線位置決め治具を備えた布線板に関する。
【背景技術】
【０００２】
移動体としての自動車には、種々の電子機器が搭載される。前記自動車は、前記電子機器にバッテリなどの電源からの電力や制御装置からの制御信号などを伝えるためにワイヤハーネスを配索している。ワイヤハーネスは、複数の電線１０６（図７に示す）と、該電線１０６の端末などに取り付けられたコネクタと、電線の外周に取り付けられるプロテクタやグロメットなどの各種の外装品などを備えている。さらに、ワイヤハーネスの電線１０６は、適宜箇所にテープが巻かれている。
【０００３】
前述したワイヤハーネスは、布線板１０３（図７に示す）の板状の板本体１０３ａの表面上に前述した電線１０６が布線されて、該電線１０６の適宜箇所にテープが巻かれたり外装品が取り付けられるなどして組み立てられる。また、前述したワイヤハーネスは、互いに交差した電線１０６同士の外周に結束部材としてのテープなどが巻かれるなどして、互いに交差した電線１０６同士が固定される。こうして、ワイヤハーネスは、自動車に配索（配線ともいう）されるパターン通りに、前述した電線１０６などが位置付けられた格好に組み立てられる。
【０００４】
前述した布線板１０３の板本体１０３ａ上に互いに交差した電線１０６を位置決めする際には、例えば、図６に例示された位置決め治具１００を用いることが提案されている。位置決め治具１００は、図６に示すように、設置部１０１と、複数の位置決め棒１０２とを備えている。
【０００５】
設置部１０１は、布線板１０３の板本体１０３ａから立設した支柱１０４と、該支柱１０４の上端に取り付けられた設置板１０５とを備えている。設置板１０５は、平面形状が四角形状に形成されている。
【０００６】
位置決め棒１０２は、設置板１０５の隅部から立設している。位置決め棒１０２は、図示例では四つ設けられている。これら四つの位置決め棒１０２は、互いに平行でかつ間隔をあけて配置されている。前述した位置決め治具１００は、図７に示すように、互いに隣り合う位置決め棒１０２間に電線１０６を通して、該電線１０６を交差させた状態で位置決めする。
【発明の開示】
【発明が解決しようとする課題】
【０００７】
しかしながら、前述した位置決め治具１００は、互いに隣り合う位置決め棒１０２間に電線１０６を通し、これらの位置決め棒１０２の下端が設置板１０５に取り付けられているので、該位置決め棒１０２で交差させた位置決めした電線１０６の外周にテープを巻こうとすると、該テープなどが設置板１０５や位置決め棒１０２と干渉する。このため、位置決め治具１００を用いると、電線１０６の外周にテープなどの結束部材を巻き付けにくかった。
【０００８】
したがって、本発明の目的は、位置決めした電線の外周に容易に結束部材を巻き付けることを可能とする電線位置決め治具と該電線位置決め治具を備えた布線板を提供することにある。
【課題を解決するための手段】
【０００９】
前記目的を達成するために、請求項１に記載の本発明の電線位置決め治具は、複数の電線を布線してワイヤハーネスを形成する際に、該ワイヤハーネスの互いに交差する電線を位置決めする電線位置決め治具において、互いに間隔をあけて平行な一対の位置決め棒を有した位置決め部を複数備え、互いに隣り合う位置決め部の一対の位置決め棒が並設する方向が、互いに交差しているとともに、互いに隣り合う位置決め部の位置決め棒が、互いに間隔をあけて配置されたことを特徴としている。
【００１０】
請求項２に記載の本発明の電線位置決め治具は、請求項１に記載の電線位置決め治具において、前記複数の位置決め部のうち少なくとも一つの位置決め部は、一対の位置決め棒の下端部同士を連結する連結棒を備えたことを特徴としている。
【００１１】
請求項３に記載の本発明の電線位置決め治具は、請求項２記載の電線位置決め治具において、複数の電線を布線する布線板の板本体に設置されるとともに、上面に前記複数の位置決め部が設置された設置台を備えたことを特徴としている。
【００１２】
請求項４記載の本発明の電線位置決め治具は、請求項３記載の電線位置決め治具において、前記複数の位置決め部が設置台の上面の外縁部に設置されていることを特徴としている。
【００１３】
請求項５記載の本発明の電線位置決め治具は、請求項４記載の電線位置決め治具において、前記複数の位置決め部が設置台の上面の外縁部の隅部に設置されていることを特徴としている。
【００１４】
請求項６記載の本発明の電線位置決め治具は、請求項５記載の電線位置決め治具において、前記複数の位置決め部の一対の位置決め棒が互いに並設する方向と、前記設置台の外縁部とが互いに交差していることを特徴としている。
【００１５】
請求項７記載の本発明の布線板は、表面上に複数の電線を布線してワイヤハーネスを形成する板本体と、請求項１ないし請求項６のうちいずれか一項に記載の電線位置決め治具と、を備え、前記電線位置決め治具が、前記板本体上に設置されて、該板本体上に布線させる電線を位置決めすることを特徴としている。
【００１６】
請求項１に記載した本発明の電線位置決め治具によれば、互いに隣り合う位置決め部の一対の位置決め棒が並設する方向が互いに交差している。このため、位置決め部の位置決め棒間に電線を通すことで、該電線を交差させた状態で位置決めできる。また、互いに隣り合う位置決め部の位置決め棒が互いに間隔をあけている。
【００１７】
請求項２に記載した本発明の電線位置決め治具によれば、位置決め部が一対の位置決め棒の下端同士を連結する連結棒を備えているので、位置決め部の一対の位置決め棒間に位置決めされた電線が、さらに連結棒で位置決めされる。
【００１８】
請求項３に記載した本発明の電線位置決め治具によれば、位置決め部が布線板の板本体上に設けられた設置台に設置されているので、位置決め部の布線板の板本体からの突出量が多くなる。
【００１９】
請求項４に記載した本発明の電線位置決め治具によれば、位置決め部が設置台の外縁に設置されているので、位置決め棒が設置台の外縁部より外側に位置付けられる。
【００２０】
請求項５に記載した本発明の電線位置決め治具によれば、位置決め部が設置台の外縁の隅部に設置されているので、位置決め棒が確実に設置台の外縁部より外側に位置付けられる。
【００２１】
請求項６に記載した本発明の電線位置決め治具によれば、位置決め部の一対の位置決め棒が互いに並設する方向と、設置台の外縁部とが交差しているので、位置決め棒がより一層確実に設置台の外縁部より外側に位置付けられる。
【００２２】
請求項７に記載した本発明の布線板によれば、電線位置決め治具の互いに隣り合う位置決め部の一対の位置決め棒が並設する方向が互いに交差している。このため、位置決め部の位置決め棒間に電線を通すことで、該電線を交差させた状態で位置決めできる。また、互いに隣り合う位置決め部の位置決め棒が互いに間隔をあけている。
【発明の効果】
【００２３】
以上説明したように、請求項１に記載の本発明によれば、互いに隣り合う位置決め部の位置決め棒が互いに間隔をあけているのて、互いに隣り合う位置決め部の位置決め棒間に結束部材を通すことで、該結束部材を電線の外周に巻き付けることができる。したがって、結束部材が位置決め部の位置決め棒などと干渉しにくくなり、該結束部材を容易に電線の外周に巻き付けることができる。
【００２４】
請求項２に記載の本発明によれば、位置決め部の一対の位置決め棒間に位置決めされた電線が、さらに連結棒で位置決めされるので、電線を交差させた状態でより確実に位置決めできる。
【００２５】
請求項３に記載の本発明によれば、位置決め部の布線板の板本体からの突出量が多くなるので、位置決め部に位置決めされた電線が布線板などと干渉しにくくなり、該電線をより一層確実に位置決めできる。
【００２６】
請求項４に記載の本発明によれば、位置決め棒が設置台の外縁部より外側に位置付けられるので、互いに隣り合う位置決め部の位置決め棒間に結束部材を容易に通すことが可能となる。
【００２７】
請求項５に記載の本発明によれば、位置決め棒が確実に設置台の外縁部より外側に位置付けられるので、互いに隣り合う位置決め部の位置決め棒間に結束部材をより容易に通すことが可能となる。
【００２８】
請求項６に記載の本発明によれば、位置決め棒がより一層確実に設置台の外縁部より外側に位置付けられるので、互いに隣り合う位置決め部の位置決め棒間に結束部材をより一層容易に通すことが可能となる。
【００２９】
請求項７に記載の本発明によれば、前述した電線位置決め治具を備えているので、結束部材が位置決め部の位置決め棒などと干渉しにくくなり、該結束部材を容易に電線の外周に巻き付けることができる。
【発明を実施するための最良の形態】
【００３０】
以下、本発明の一実施形態にかかる電線位置決め治具としての分岐用結き具１を図１ないし図４を参照して説明する。図１に示された分岐用結き具１は、図１などに示すように、布線板１６の所望箇所に取り付けられて、ワイヤハーネス２（図１などに示す）を組み立てる際に用いられる。
【００３１】
ワイヤハーネス２は、図１及び図２に示すように、複数の電線４と、これらの電線４の端末に取り付けられたコネクタ３と、前記電線４の所望箇所に取り付けられる図示しないプロテクタやグロメットなどの外装品を備えている。
【００３２】
電線４は、導電性の金属で構成される芯線と、該芯線を被覆する絶縁性の合成樹脂で構成される被覆部とを備えた所謂被覆電線である。コネクタ３は、導電性の板金などで構成される端子金具と、コネクタハウジング５とを備えている。端子金具は、電線４の端末に取り付けられて、該電線４の芯線と電気的に接続する。コネクタハウジング５は、絶縁性の合成樹脂で構成されて箱状に形成されている。コネクタハウジング５には、互いに平行な端子収容室が複数設けられている。端子収容室は、直線状に延在しかつコネクタハウジング５内に設けられた空間であり、前述した端子金具を収容する。
【００３３】
前述したプロテクタやグロメットなどの外装品は、前述した電線４の所望箇所を収容して、該電線４の所望箇所を保護する。
【００３４】
前述したワイヤハーネス２は、前記電線４を所望の形状に束ねかつこれらの電線４の所望箇所に図示しないプロテクタやグロメットなどの外装品を組み付けて、該電線４の外周に結束部材としてのテープ１５（図１に示す）を巻回して（巻き付けて）構成されている。
【００３５】
分岐用結き具１は、図１に示すワイヤハーネス組立ライン６を構成している。ワイヤハーネス組立ライン６は、図１に示すように、走行台１８と、無端ベルト１９と、複数の布線板１６とを備えている。
【００３６】
走行台１８は、工場のフロア上に設けられ、かつ上面が平坦なテーブル状に形成されている。走行台１８には、布線板１６を走行させる走行経路１８ａと、一対のプーリ１８ｂとを備えている。走行経路１８ａは、輪状に形成されて、端が無い所謂無端状に配されている。
【００３７】
プーリ１８ｂは、それぞれ、走行台１８の端部に、回転自在に設けられている。一対のプーリ１８ｂのうち少なくとも一方には、駆動モータの出力軸が連結しており、該駆動モータの回転駆動力で回転される。なお、図１には、一方のプーリ１８ｂのみ図示し、他方を省略している。
【００３８】
無端ベルト１９は、輪状のベルトであり、走行経路１８ａに沿って配されている。無端ベルト１９は、一対のプーリ１８ｂに掛け渡されている。無端ベルト１９は、前記駆動モータの回転駆動力によって、プーリ１８ｂとともに回転して、これら一対のプーリ１８ｂの回りを循環（無端走行）する。
【００３９】
布線板１６は、それぞれ、図２に示すように、板状の板本体１６ａと、コネクタ受け治具２０と、結き具１６ｂと、分岐用結き具１とを備えている。
【００４０】
板本体１６ａは、前記走行台１８上に立設しており、前記走行台１８上を走行経路１８ａに沿って走行自在に支持されている。板本体１６ａは、前記無端ベルト１９と固定されている。このため、板本体１６ａ即ち布線板１６は、無端ベルト１９とともに走行経路１８ａに沿って走行する。したがって、布線板１６は、無端走行する。
【００４１】
板本体１６ａは、走行経路１８ａの内側に位置する縁部が上方に位置し、走行経路１８ａの外側に位置する縁部が下方に位置するように、傾斜している。則ち、板本体１６ａは、その表面が上方に向くように、該表面が鉛直方向と水平方向との双方に対して傾斜している。
【００４２】
板本体１６ａの表面には、コネクタ３や前述した図示しないプロテクタやグロメットなどの外装品を示す模様や、ワイヤハーネス２の図示しない配索パターンなどが描かれている。配線パターンは、前述したワイヤハーネスの平面形状に沿った前記板本体１６ａの表面に形成された模様である。
【００４３】
コネクタ受け治具２０は、板本体１６ａの表面に取り付けられている。則ち、コネクタ受け治具２０は、板本体１６ａに設置されている。コネクタ受け治具２０は、支柱２１と、コネクタ収容箱２２とを備えている。支柱２１は、板本体１６ａの表面から立設している。コネクタ収容箱２２は、支柱２１の板本体１６ａの表面から離れた側の上端に取り付けられる。コネクタ収容箱２２は、コネクタ３を収容する。コネクタ受け治具２０は、コネクタ収容箱２２内にコネクタ３を収容することで、該コネクタ３を板本体１６ａ上に位置決めする。コネクタ受け治具２０は、前記ワイヤハーネス２の配索パターンにしたがって、該ワイヤハーネス２のコネクタ３に対応する位置に配されている。コネクタ受け治具２０は、布線板１６の板本体１６ａのワイヤハーネス２のコネクタ３を保持することのできる位置に設置されている。
【００４４】
結き具１６ｂは、板本体１６ａの表面に取り付けられている。即ち、結き具１６ｂは、板本体１６ａに設置されている。結き具１６ｂは、勿論、板本体１６ａから立設している。結き具１６ｂは、それぞれ電線４を結くことができる。結き具１６ｂは、それぞれ電線４を結くことで、該電線４を板本体１６ａ上に位置決めする。結き具１６ｂは、前記ワイヤハーネス２の配索パターンにしたがって、該ワイヤハーネス２の曲げ箇所（電線４が曲げられた箇所）などに対応する位置に配されている。結き具１６ｂは、布線板１６の板本体１６ａのワイヤハーネス２の曲げ箇所などを保持することのできる位置に設置されている。
【００４５】
分岐用結き具１は、板本体１６ａの表面に取り付けられている。即ち、分岐用結き具１は、板本体１６ａに設置されている。分岐用結き具１は、勿論、板本体１６ａから立設している。分岐用結き具１は、それぞれ、後述するように、ワイヤハーネス２の分岐箇所Ｂ（図１及び図２に示す電線４が３方向以上に分岐する箇所）を布線板１６の板本体１６ａ上に位置決めする。分岐用結き具１は、前記ワイヤハーネス２の配索パターンにしたがって、該ワイヤハーネス２の分岐箇所Ｂに対応する位置に配されている。分岐用結き具１は、布線板１６の板本体１６ａのワイヤハーネス２の分岐箇所Ｂを保持することのできる位置に設置されている。
【００４６】
分岐用結き具１は、図２及び図３に示すように、設置台７と、複数の位置決め部８とを備えている。設置台７は、支柱９と、設置板１０とを備えている。支柱９は、円柱状に形成されて、布線板１６の板本体１６ａから立設している。則ち、支柱９は、板本体１６ａに設置されている。
【００４７】
設置板１０は、平面形状が四角形状の平板状に形成されている。設置板１０は、支柱９の布線板１６の板本体１６ａから離れた側の上端に取り付けられている。設置板１０は、板本体１６ａから離れた側の表面（以下、上面と呼ぶ）１０ａが布線板１６の板本体１６ａと平行に配されている。なお、設置板１０の上面１０ａは、特許請求の範囲に記載した設置台７の上面をなしている。
【００４８】
位置決め部８は、図示例では、四つ設けられている。位置決め部８は、支柱１１と、連結棒１２と、一対の位置決め棒１３とを備えている。支柱１１は、設置板１０の上面１０ａから立設している。支柱１１は、設置板１０の上面１０ａの外縁部１０ｂの隅部１０ｃに設置されている。位置決め部８は、支柱１１が設置板１０の上面１０ａの外縁部１０ｂの隅部１０ｃに設置されることで、該設置板１０の上面１０ａの外縁部１０ｂの隅部１０ｃに設置されている。
【００４９】
連結棒１２は、直線状の棒状に形成されている。連結棒１２は、その長手方向の中央部に支柱１１の布線板１６の板本体１６ａから離れた側の上端が連なっている。連結棒１２は、その長手方向が板本体１６ａの表面則ち設置板１０の上面１０ａと平行に配されている。さらに、連結棒１２の長手方向は、設置板１０の外縁部１０ｂと交差している。図示例では、連結棒１２の長手方向と設置板１０の外縁部１０ｂとのなす角度は、略４５度となっている。
【００５０】
一対の位置決め棒１３は、それぞれ、直線状に延びている。一対の位置決め棒１３は、互いに間隔をあけて平行に配置されている。位置決め棒１３は、その長手方向が板本体１６ａの表面則ち設置板１０の上面１０ａと直交（交差）している。位置決め棒１３の板本体１６ａの表面寄り則ち設置板１０の上面１０ａ寄りの下端部は、連結棒１２の長手方向の両端に連なっている。則ち、連結棒１２は、一対の位置決め棒１３の布線板１６の板本体１６ａ寄りの下端部同士を連結している。
【００５１】
前述した構成の位置決め部８は、一対の位置決め棒１３間でかつ連結棒１２上にワイヤハーネス２の電線４を位置づけて、該ワイヤハーネス２の電線４を布線板１６の板本体１６ａ上に位置決めする。
【００５２】
また、複数（四つ）の位置決め部８のうち互いに隣り合う位置決め部８の一対の位置決め棒１３同士が並設する方向（連結棒１２の長手方向と平行な図３中に矢印Ｋで示す方向）は、互いに交差している。なお、図示例では、複数（四つ）の位置決め部８のうち互いに隣り合う位置決め部８の一対の位置決め棒１３同士が並設する方向Ｋは、互いに直交している。
【００５３】
さらに、複数（四つ）の位置決め部８のうち互いに隣り合う位置決め部８の位置決め棒１３同士は、互いに間隔をあけている。則ち、複数（四つ）の位置決め部８のうち互いに隣り合う位置決め部８同士は、互いに間隔をあけている。
【００５４】
前述した構成の分岐用結き具１は、互いに隣り合う位置決め部８の一対の位置決め棒１３間に電線４を通すことで、前述したワイヤハーネス２の分岐箇所Ｂを布線板１６の板本体１６ａ上に位置決めする。
【００５５】
前述した構成のワイヤハーネス組立ライン６は、まず、作業員が、板本体１６ａの図示しない配索パターンにしたがって、結き具１６ｂにコネクタ３付きの電線４を複数結くとともに、該電線４を分岐用結き具１の位置決め部８の一対の位置決め棒１３間に通して連結棒１２上に位置付ける。そして、コネクタ３をコネクタ受け治具２０のコネクタ収容箱２２内に収容する。
【００５６】
こうして、電線４とコネクタ３とを布線板１６に位置決めして、該電線４を所望形状に配索（配線または布線ともいう）する。このとき、勿論、前述した分岐箇所Ｂでは、図２及び図４に示すように、互いに隣り合う位置決め部８の一対の位置決め棒１３間に電線４を通して、ワイヤハーネス２の分岐箇所Ｂを布線板１６の板本体１６ａ上に位置決めする。
【００５７】
そして、前記布線板１６が走行経路１８ａに沿って無端走行する間に、前記電線４の所望箇所にプロテクタやグロメットなどの外装品を組み付けたり、テープ１５を巻くなどして、ワイヤハーネス２を形成する。なお、前述した分岐箇所Ｂにテープ１５を巻き付ける際には、図４に示す結束工具２３を用いても良い。
【００５８】
結束工具２３は、工具本体２４と、一対のテープガイド２５ａ，２５ｂなどを備えている。工具本体２４は、ピストルグリップ２６と、該ピストルグリップ２６内に収容されたテープマガジンとを備えている。ピストルグリップ２６内には、テープマガジンからのテープ１５を一対のテープガイド２５ａ，２５ｂのうち一方に送り出すテープ通し経路が設けられている。
【００５９】
一対のテープガイド２５ａ，２５ｂのうち一方は、ピストルグリップ２６に一端を中心として回転自在に支持されている。テープガイド２５ａ，２５ｂのうち一方が一端を中心として回転することで、テープガイド２５ａ，２５ｂの他端が互いに接離する。テープガイド２５ａ，２５ｂには前述したテープ１５を通すガイド溝２７が設けられている。
【００６０】
前述した構成の結束工具２３は、一対のテープガイド２５ａ，２５ｂの他端同士を互いに遠ざけた状態で、該一対のテープガイド２５ａ，２５ｂ間にワイヤハーネス２の電線４を位置付ける。そして、結束工具２３は、テープガイド２５ａ，２５ｂの他端同士を近づけて、該一対のテープガイド２５ａ，２５ｂで電線４の周囲を取り囲む。結束工具２３は、ピストルグリップ２６のテープマガジンからテープ１５を一対のテープガイド２５ａ，２５ｂのうち一方に送り出して、該テープ１５をガイド溝２７内に通して、該テープ１５を電線４の外周に巻く。こうして、前述した結束工具２３は、電線４の外周にテープ１５を巻き付ける。
【００６１】
前述した構成の結束工具２３を用いて前述した分岐用結き具１で位置決めされたワイヤハーネス２の電線４の分岐箇所Ｂの外周にテープ１５を巻き付ける際には、互いに隣り合う位置決め部８の位置決め棒１３間にテープガイド２５ａ，２５ｂを通す。そして、テープガイド２５ａ，２５ｂで分岐箇所Ｂの周囲を取り囲んで、該分岐箇所Ｂの外周にテープ１５を巻き付ける。
【００６２】
前述したように組み立てられたワイヤハーネス２は、導通検査や外観検査などが施された後、前述したコネクタ３が自動車に搭載される各種の電子機器に取り付けられて、該自動車に配索される。
【００６３】
本実施形態によれば、互いに隣り合う位置決め部８の一対の位置決め棒１３が並設する方向Ｋが互いに直交している。このため、位置決め部８の位置決め棒１３間に電線４を通すことで、該電線４を交差させた状態で位置決めできる。則ち、分岐箇所Ｂを位置決めできる。
【００６４】
また、互いに隣り合う位置決め部８の位置決め棒１３が互いに間隔をあけているのて、互いに隣り合う位置決め部８の位置決め棒１３間にテープ１５を前述した結束工具２３などを用いて通すことで、該テープ１５を電線４の分岐箇所Ｂの外周に巻き付けることができる。したがって、テープ１５が位置決め部８の位置決め棒１３などと干渉しにくくなり、該テープ１５を容易に電線４の外周に巻き付けることができる。
【００６５】
位置決め部８が一対の位置決め棒１３の下端部同士を連結する連結棒１２を備えているので、位置決め部８の一対の位置決め棒１３間に位置決めされた電線４が、さらに連結棒１２で位置決めされる。電線４の分岐箇所Ｂを布線板１６の板本体１６ａ上により確実に位置決めできる。
【００６６】
位置決め部８が布線板１６の板本体１６ａ上に設けられた設置台７の設置板１０に設置されているので、位置決め部８の布線板１６の板本体１６ａからの突出量が多くなる。このため、位置決め部８に位置決めされた電線４が布線板１６などと干渉しにくくなり、該電線４をより一層確実に位置決めできる。
【００６７】
位置決め部８が設置台７の設置板１０の外縁部１０ｂに設置されているので、位置決め棒１３が設置台７の設置板１０の外縁部１０ｂより外側に位置付けられる。このため、互いに隣り合う位置決め部８の位置決め棒１３間にテープ１５を容易に通すことが可能となる。
【００６８】
また、位置決め部８が設置台７の設置板１０の外縁部１０ｂの隅部１０ｃに設置されているので、位置決め棒１３が確実に設置台７の設置板１０の外縁部１０ｂより外側に位置付けられる。このため、互いに隣り合う位置決め部８の位置決め棒１３間にテープ１５をより容易に通すことが可能となる。
【００６９】
さらに、位置決め部８の一対の位置決め棒１３が互いに並設する方向Ｋと、設置台７の設置板１０の外縁部１０ｂとが交差しているので、位置決め棒１３がより一層確実に設置台７の設置板１０の外縁部１０ｂより外側に位置付けられる。このため、互いに隣り合う位置決め部８の位置決め棒１３間にテープ１５をより一層容易に通すことが可能となる。
【００７０】
前述した布線板１６は、前述した分岐用結き具１を備えているので、テープ１５が位置決め部８の位置決め棒１３などと干渉しにくくなり、該テープ１５を容易に電線４の外周に巻き付けることができる。
【００７１】
前述した実施形態では、結束部材としてテープ１５を示している。しかしながら、本発明では、電線４を結束するものであれば、結束部材として種々の物品を用いても良い。則ち、結束部材として、例えば、図５に示すようなバンド２８を用いても良い。
【００７２】
図５に示すバンド２８は、バンド本体２９と、該バンド本体２９の一端部に設けられて該バンド本体２９の他端部を係止して固定する係止部３０と、前記係止部３０に設けられた固定部３１とを一体に示されている。
【００７３】
バンド本体２９は、帯板状に形成されている。係止部３０は、筒状に形成されて、内側にバンド本体２９の他端部が通されることで、該バンド本体２９の他端部に係止（固定）する。固定部３１は、係止部３０から立設しており、前述した自動車の各種のパネルに設けられた孔内に係止する。
【００７４】
前述したバンド２８は、係止部３０上に電線４を位置付けて、バンド本体２９を電線４の外周に巻き付けて、該バンド本体２９の他端部を係止部３０に固定する。こうして、前述したバンド２８は、電線４の外周に巻き付けられる。さらに、バンド２８は、固定部３１がパネルの孔内に係止して、電線４則ちワイヤハーネス２を前述したパネルに固定する。
【００７５】
さらに、本発明は、固定部３１が設けられていないバンドを、結束部材として用いても良いことは、勿論である。
【００７６】
前述した実施形態では、位置決め部８の一対の位置決め棒１３同士が並設する方向Ｋを互いに直交させている。しかしながら、本発明では、互いに隣り合う位置決め部８の一対の位置決め棒１３同士が並設する方向Ｋを互いに直交させることなく、交差させても良い。
【００７７】
前述した実施形態では、位置決め部８を設置板１０の上面１０ａの外縁部１０ｂの隅部１０ｃに設けている。しかしながら、本発明では、位置決め部８を設置板１０の上面１０ａの隅部１０ｃに限らず、上面１０ａの外縁部１０ｂの任意の位置に設けても良い。さらに、本発明では、位置決め部８を設置板１０の外縁部１０ｂに限らず、設置板１０の任意の位置に設けても良い。
【００７８】
さらに、本発明では、設置台７を設けることなく、直接、位置決め部８を布線板１６の板本体１６ａ上に設置しても良く、連結棒１２を設けることなく、位置決め棒１３を設置板１０や布線板１６の板本体１６ａから立設させても良い。さらに、本発明では、少なくとも一つの位置決め部８が、連結棒１２を備えていれば良い。
【００７９】
なお、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００８０】
【図１】本発明の一実施形態にかかる分岐用結き具及び布線板を備えたワイヤハーネス組立ラインを示す斜視図である。
【図２】図１に示されたワイヤハーネス組立ラインの布線板の要部を示す斜視図である。
【図３】図２に示された布線板の分岐用結き具などを示す斜視図である。
【図４】図３に示された分岐用結き具が分岐箇所を位置決めした状態などを示す斜視図である。
【図５】本発明の結束部材の他の例としてのバンドを示す斜視図である。
【図６】従来の位置決め治具などを示す斜視図である。
【図７】図６に示された位置決め治具が分岐箇所を位置決めした状態などを示す斜視図である。
【符号の説明】
【００８１】
１  分岐用結き具（電線位置決め治具）
２  ワイヤハーネス
４  電線
７  設置台
８  位置決め部
１０ａ  上面
１０ｂ  外縁部
１０ｃ  隅部
１２  連結棒
１３  位置決め棒
１６  布線板
１６ａ  板本体
Ｋ  並設する方向
【図１】
2007026988.tif 000003
【図２】
2007026988.tif 000004
【図３】
2007026988.tif 000005
【図４】
2007026988.tif 000006
【図５】
2007026988.tif 000007
【図６】
2007026988.tif 000008
【図７】
2007026988.tif 000009